(57)【要約】【課題】ランドセル等を、目立たず、容易に収納できる収納棚を提供する。【解決手段】一対の側板２ａ，２ｂと、該側板２ａ，２ｂ間に架設した少なくとも１枚の棚板１１，１２と、前記側板２ａ，２ｂ間の背部に設けた背板を有し、該側板２ａ，２ｂ間の上端に取外し可能に横方向に取付できるとともに、側板２ａ，２ｂ間の前側上部に取外し可能に上下方向に取付できるパネル２５を有し、該パネル２５を側板２ａ，２ｂ間の前側上部に設けた際に、前記パネル２５が前記棚板のうち最も上方に設けた棚板１１に載置した物の目隠しとすることができるようにした。【選択図】  図１
2015009112.tif 000002
【特許請求の範囲】
【請求項１】
一対の側板と、該側板間に架設した少なくとも１枚の棚板と、前記側板間の背部に設けた背板を有し、
該側板間の上端に取外し可能に横方向に取付できるとともに、側板間の前側上部に取外し可能に上下方向に取付できるパネルを有し、
該パネルを側板間の前側上部に設けた際に、前記パネルが前記棚板のうち最も上方に設けた棚板に載置した物の目隠しとすることができることを特徴とする収納棚。
【請求項２】
前記パネルを、前記側板の上部背側端に、取外し可能に上下方向に取付できるようにしたことを特徴とする請求項１記載の収納棚。
【請求項３】
前記側板間に、上下方向に設けた仕切り板を配設し、該仕切り板の背側端と、前記背板の前面との間に収納空間を形成したことを特徴とする請求項１又は２記載の収納棚。
【請求項４】
前記仕切り板の背側端には目隠し板が設けられていることを特徴とする請求項３記載の収納棚。
【発明の詳細な説明】
【技術分野】
【０００１】
本発明は、収納棚に関する。
【背景技術】
【０００２】
近年、子供にリビングやダイニングで勉強させる家庭が増加し、この勉強をするリビングやダイニングに学校で使用するランドセルなどの学習用具等を置き収納したいという要望がある。
【０００３】
また、従来、学童用の収納棚は、複数の収納空間に区画されていてその空間内に学習用具等を収納するのが一般的である。
【発明の概要】
【発明が解決しようとする課題】
【０００４】
しかし、前記従来の収納棚は、前面が常時開口しているために、その収納棚にランドセル等の目に付きやすい学習用具を収納すると、このランドセル等の存在が目立って部屋の雰囲気を損なうという問題がある。
【０００５】
また、引出内に、重いランドセル等を収納すると、ランドセル等の出し入れが困難である。
【０００６】
そのため、ランドセル等を、目立たず、容易に収納できる収納棚を提供することを目的とするものである。
【課題を解決するための手段】
【０００７】
前記の課題を解決するために、請求項１記載の発明は、一対の側板と、該側板間に架設した少なくとも１枚の棚板と、前記側板間の背部に設けた背板を有し、
該側板間の上端に取外し可能に横方向に取付できるとともに、側板間の前側上部に取外し可能に上下方向に取付できるパネルを有し、
該パネルを側板間の前側上部に設けた際に、前記パネルが前記棚板のうち最も上方に設けた棚板に載置した物の目隠しとすることができることを特徴とするものである。
【０００８】
請求項２記載の発明は、請求項１記載の発明において、前記パネルを、前記側板の上部背側端に、取外し可能に上下方向に取付できるようにしたことを特徴とするものである。
【０００９】
請求項３記載の発明は、請求項１又は２記載の発明において、前記側板間に、上下方向に設けた仕切り板を配設し、該仕切り板の背側端と、前記背板の前面との間に収納空間を形成したことを特徴とするものである。
【００１０】
請求項４記載の発明は、請求項３記載の発明において、前記仕切り板の背側端には目隠し板が設けられていることを特徴とするものである。
【発明の効果】
【００１１】
本発明によれば、パネルを、側板間の前側上部に取外し可能に、上下方向に取付できるようにしたことにより、該パネルを側板の前側上部に取付た場合には、該パネルにより、最も上方に設けた棚板に載置したランドセル等の収納物の目隠しとなり、収納物が視認されて部屋の雰囲気を損なうことがない。
【００１２】
また、ランドセル等を最も上方に設けた棚板に置くことができ、前記従来の引出内に収納するものと比べて、収納したランドセル等を容易に取り出すことが出来る。
【図面の簡単な説明】
【００１３】
【図１】本発明の実施例を示す収納棚の前側から見た斜視図。
【図２】図１の前面図。
【図３】図１の右側面図。
【図４】図１の上面図。
【図５】パネルを天板として用いた状態の斜視図。
【図６】パネルを背板として用いた状態の斜視図。
【図７】図５の状態から棚板の位置を変更した状態の斜視図。
【図８】図５の状態から棚板の位置を変更した状態の斜視図。
【図９】パネルを側板に取り付ける方法を説明するための分解斜視図。
【発明を実施するための形態】
【００１４】
本発明を実施するための形態を図に基づいて説明する。
図１は、本発明の実施例に係る収納棚１の前方から見た斜視図である。
【００１５】
収納棚１は、一対の側板２ａ，２ｂを有し、該側板２ａ，２ｂ間の背側端の中央部と下部に夫々背板３，３が、側板２ａ，２ｂ間の下端に下板４が固設されている。該下板４の４隅にはキャスタ５が、回動自在に設けられている。
【００１６】
側板２ａ，２ｂ間の下部には、引出８が出し入れ可能に備えられ、引出８の前方下部にはキャスタ９が設けられている。側板２ａ，２ｂ間の引出８の上部には上側の棚板１１と下側の棚板１２が所定の位置に固設されている。棚板１１，１２は、図３に示すように、側板２ａ，２ｂの前端から背側端に亘って設けられている。
【００１７】
両棚板１１，１２間には上下方向に仕切板１５が固設されている。該仕切板１５は、図３に示すように、側板２ａ，２ｂの背側端までは形成されておらず、仕切板１５の背側端には目隠し板１６が側板２ａ，２ｂ間に亘って横方向に設けられている。該目隠し板１６と背板３の上部との間、すなわち、仕切板１５と背板３との間には収納空間２０が形成されている。目隠し板１６と棚板１１との間には空間２１が形成され、収納棚１の前側から空間２１を通して収納空間２０内に物を収納することが出来るようになっている。
【００１８】
前記仕切板１５と右側板２ａとの間の距離Ｌ１と、上側の棚板１１の下面と下側の棚板１２の上面との距離Ｌ２は同じに設定されている。これにより、取り外し可能な可動板２２を、図１，２に示すように、横方向に配置したり、図７に示すように、上下方向に配置して、両棚板１１，１２と仕切板１５と右側板２ａで囲まれた収納空間を、上下に区画したり、左右に区画したりすることができるようになっている。なお、仕切板１５は、側板２ａ，２ｂ間の中央を軸として、図２に示す位置に対して、左右対称の位置に付け替えることができるようになっている。このように、仕切板１５の位置を、図２に示す位置よりも右側方に取付けた場合には、両棚板１１，１２と仕切板１５と左側板２ｂで囲まれた収納空間を、可動板２２により、上下に区画したり、左右に区画したりすることができるようになっている。
【００１９】
前記仕切板１５と左側板２ｂ間の上部には引出３１が出し入れ可能に設けられている。なお、仕切板１５の位置を、図２に示す位置よりも右側方に取付けた場合には、引出３１は、前記仕切板１５と右側板２ａ間の上部に取り付けることができるようになっている。
【００２０】
側板２ａ，２ｂ間の前側上部には、図１に示すように、パネル２５が取外し可能に上下方向（縦方向）に設けられている。該パネル２５は、前記図１の状態からこれを取外して、図５に示すように、側板２ａ，２ｂ間の上端部において取外し可能に、横方向に取り付けたり、更に、図６に示すように、側板２ａ，２ｂ間の背側端において取外し可能に、上下方向に取り付けたるとができるようになっている。
【００２１】
前記パネル２５を、前記各取付状態に取外し可能に保持するには連結、分離可能な適宜取付金具を用いることが出来るが、図の実施例では、図９に示す取付金具を用いた。
【００２２】
側板２ａ（２ｂ）の内面における所定の場所に取付穴２ｃが設けられ、該取付穴には受金具２７を取外し可能に突設することができるようになっている。また、パネル２５の裏面には、有底状の取付穴２５ａが形成され、該取付穴２５ａ内には係止具２６が嵌入されている。該係止具２６には、パネル２５の裏面側と側枠２ａ（２ｂ）側に開口する取付凹部２６ａが形成されている。
【００２３】
パネル２５を、図１に示すように、上下方向に取り付ける場合には、側板２ａ（２ｂ）の前部の所定の取付穴２ｃに受金具２７を取付けた後に、図９に示すように、パネル２５の裏面が背面側となるようにして、受金具２７に、前方から係止具２６の係合凹部２６ａを嵌合させて、取り付けることが出来るようになっている。この際、側板２ａ，２ｂ間の上方と背部は開口している。
【００２４】
また、パネル２５を、図５に示すように横方向に取り付ける場合には、側板２ａ（２ｂ）の上端部の所定の取付穴２ｃに受金具２７を取付けた後に、パネル２５の裏面が下側となるようにして、側板２ａ（２ｂ）に取り付けた受金具２７に、上方から係止具２６の係合凹部２６ａを嵌合させて、取り付けることが出来るようになっている。この際、側板２ａ，２ｂ間の前方と背部は開口している。
【００２５】
また、パネル２５を、図６に示すように、背部の上下方向に取り付ける場合には、側板２ａ（２ｂ）の背部の所定の取付穴２ｃに受金具２７を取付けた後に、パネル２５の表面が正面側となるようにして、受金具２７に、前方から係止具２６の係合凹部２６ａを嵌合させて、取り付けることが出来るようになっている。この際、側板２ａ，２ｂ間の上方と正面は開口している。
【００２６】
図１に示すように、前記パネル２５を、側板２ａ，２ｂ間の前端部に上下方向となるように取り付けることにより、パネル２５は、上側の棚板１１の上部に載置、収納したランドセル等の目隠しとなり、ランドセル等を視認しにくいようにすることができる。また、側板２ａ，２ｂの上部と背部は開口しているために、ランドセル等を収納棚１の上部から、もしくは、収納棚１を動かして、背部の開口部から容易に取り出すことが出来る。
【００２７】
また、図５に示すように、前記パネル２５を、側板２ａ，２ｂ間の上端部に横方向となるように取り付けることにより、パネル２５を天板として用いることが出来る。
【００２８】
また、図６に示すように、前記パネル２５を、側板２ａ，２ｂ間の背側端部に上下方向となるように取り付けることにより、パネル２５を背板として用いることが出来る。
【００２９】
前記パネル２５を天板として用いた場合には、図８に示すように、パネル２５と上側の棚板１１との間に、その上下方向に前記可動板２２を取りつけることができるようになっている。
【００３０】
また、収納空間２０には、鍵盤ハーモニカ等の横長のものを収納することが出来ると共に、目隠し板１６により、収納空間２０内に収納したものを収納棚１の前方から視認しにくくすることができる。
【００３１】
なお、本実施例では、棚板１１，１２を２枚設けたが、棚板は少なくとも１枚でも、３枚以上でも任意の枚数に設定することが出来る。また、棚板１１，１２を固定してもうけたが、上下方向に複数段階で高さを変えることができるようにしてもよい。
【符号の説明】
【００３２】
１  収納棚
２ａ，２ｂ  側板
３  背板
１１，１２  棚板
２５  パネル
１５  仕切り板
１６  目隠し板
２０  収納空間
【図１】
2015009112.tif 000003
【図２】
2015009112.tif 000004
【図３】
2015009112.tif 000005
【図４】
2015009112.tif 000006
【図５】
2015009112.tif 000007
【図６】
2015009112.tif 000008
【図７】
2015009112.tif 000009
【図８】
2015009112.tif 000010
【図９】
2015009112.tif 000011